(57)【特許請求の範囲】
【請求項１】
通信衛星上に設置されるように設計されたデュアルＲＦチャンネル用リニアライザ・チャンネル増幅器装置であって、
各々が無線周波数信号通信チャネルに対応し、かつ、チャンネル増幅器モジュール（１０、２０）を備える２つの独立した無線周波数チャンネル（ＲＦ１、ＲＦ２）とを備え、
前記２つの無線周波数チャンネル（ＲＦ１、ＲＦ２）が、前記２つの無線周波数チャンネル（ＲＦ１、ＲＦ２）の各々専用の前記信号のルーティング及び管理を行う全く同一の遠隔制御遠隔測定モジュール（３０）に直接に接続され、
前記遠隔制御遠隔測定モジュール（３０）は、前記２つの無線周波数チャンネル（ＲＦ１、ＲＦ２）に共通のシリアル又はパラレル通信バス（３３）を備え、前記２つの無線周波数チャンネルのために単一のアドレス及び単一のインタフェースを有し、遠隔制御遠隔測定モジュールの構成部品の数を低減し、機器間で接続を可能にする関連ハーネスを簡素化し、加入者数に関して全体的な能力を倍化する
ことを特徴とする装置。
【請求項２】
前記遠隔制御遠隔測定モジュール（３０）が、前記２つのチャンネル増幅器モジュール（１０、２０）の各々専用の前記遠隔制御信号の前記ルーティング及び前記管理、ならびに前記２つのチャンネル増幅器モジュール（１０、２０）により生成された前記遠隔測定結果の前記管理を行うことを特徴とする請求項１に記載の装置。
【請求項３】
各無線周波数チャンネル（ＲＦ１、ＲＦ２）が、前記それぞれのチャンネル増幅器モジュール（１０、２０）と、前記遠隔制御遠隔測定モジュール（３０）とに接続されたリニアライザ（１１、２１）も備え、前記遠隔制御遠隔測定モジュール（３０）が、前記２つのリニアライザ（１１、２１）により生成された遠隔測定結果も管理することを特徴とする請求項２に記載の装置。
【請求項４】
前記遠隔制御遠隔測定モジュール（３０）が、前記２つの無線周波数チャンネルに関係する全ての前記遠隔制御遠隔測定信号のために単一の物理アドレスを備えることを特徴とする請求項１に記載の装置。
【請求項５】
前記遠隔制御遠隔測定モジュール（３０）が、各無線周波数チャンネル（ＲＦ１、ＲＦ２）に関連した２つの進行波管（５１、５１）に接続されたデュアル電子電力調節装置の入力部に接続された遠隔制御出力部（３４、３５）も備えることを特徴とする請求項４に記載の装置。
【請求項６】
前記遠隔制御遠隔測定モジュール（３０）が、各無線周波数チャンネル（ＲＦ１、ＲＦ２）に関連した２つの進行波管（５０、５１）に接続された２つの電子電力調節装置（４０、４１）の前記入力部に接続された遠隔制御出力部（３４、３５）も備えることを特徴とする請求項４に記載の装置。
【請求項７】
前記遠隔制御遠隔測定モジュール（３０）が、１つ又はそれ以上の専用インタフェース（６０、６１）を介して各電力調節装置（４０、４１）の前記アナログ及びデジタル遠隔測定結果を管理する管理システム（６３）も備えることを特徴とする請求項５又は請求項６のいずれか１項に記載の装置。
【請求項８】
請求項１に記載のデュアルＲＦチャンネル用の少なくとも１つのリニアライザ・チャンネル増幅器装置を備えることを特徴とする通信衛星。
【発明の詳細な説明】
【技術分野】
【０００１】
本発明は、デュアルＲＦチャンネル用リニアライザ・チャンネル増幅器装置及びこの装置を備える通信衛星に関するものである。本発明は、顕著に、衛星通信の分野、特に衛星中継器の無線周波数伝送システムに適用される。
【背景技術】
【０００２】
大部分のペイロード・アーキテクチャにおいては、衛星上に設置された中継器は、中継器により受信された無線周波数信号を前置増幅する機器を各々備える多数の独立したＲＦ無線周波数チャンネルを備え、前記機器は、進行波管の入力時に必要とされる電力を供給するように設計される。この進行波管は、加入者に受信信号を再送するために使用されるマイクロ波振動数電力増幅器である。進行波管は、飽和出力近傍にて動作させられ、これにより、管から非線形応答が引き起こされ、この非線形応答は、管の上流側に設置された前置増幅機器内に設置することができるリニアライザ機能により補正することができ、この前置増幅機器は、それで、リニアライザ・チャンネル増幅器という。
【０００３】
各ＲＦ系専用のリニアライザ・チャンネル増幅器装置は、増幅器モジュールと、おそらくはリニアライザ・モジュールと、遠隔制御遠隔測定モジュールとを備える。遠隔制御遠隔測定モジュールは、リニアライザ・チャンネル増幅器装置を制御して地上局との電気通信を管理する。遠隔制御遠隔測定モジュールは、送信されるべきデータのトラフィックにより及び一般にリンク・バジェット特有の要件により判断される使用条件に遠隔制御遠隔測定モジュールを適合させるために増幅器モジュール及びリニアライザをプログラムする遠隔制御部と、リニアライザ・チャンネル増幅器装置により得られた測定結果を管理して地上局に送信することを担当する遠隔測定部とを備える。遠隔制御遠隔測定モジュールは、例えば進行波管に電源を供給するためのシステム機器など、衛星の他の機器が発信元である遠隔測定結果を管理して送信することもできる。
【０００４】
中継器は各々が専用リニアライザ・チャンネル増幅器装置を備える多数のチャンネルを備えることから、かつ、各リニアライザ・チャンネル増幅器装置がいくつかの独立したモジュールを備えることから、このアーキテクチャには、多数のチャンネルがあるため、より大きなスペースを必要とすることや製造費などの諸問題がある。
【発明の概要】
【発明が解決しようとする課題】
【０００５】
本発明の目的は、低減された数の構成部品を備え、かつ、生産費及び各ＲＦ系のスペース必要量を低減することを可能にするリニアライザ・チャンネル増幅器装置を製造することである。
【課題が解決するための手段】
【０００６】
このために、本発明は、通信衛星上に設置されるように設計されたデュアルＲＦチャンネル用リニアライザ・チャンネル増幅器装置であって、各々が無線周波数信号通信チャネルに対応し、かつ、チャンネル増幅器モジュールを備える２つの独立した無線周波数チャンネルを備え、２つの無線周波数チャンネルが、２つの無線周波数チャンネルの各々専用の信号のルーティング及び管理を行う全く同一の遠隔制御遠隔測定モジュールに接続されることを特徴とする装置に関するものである。
【０００７】
有利なことに、遠隔制御遠隔測定モジュールは、２つのチャンネル増幅器モジュールの各々専用の遠隔制御信号のルーティング及び管理及び２つのチャンネル増幅器モジュールにより生成された遠隔測定結果の管理を行う。
【０００８】
必要であれば、各無線周波数チャンネルは、それぞれのチャンネル増幅器モジュールと、遠隔制御遠隔測定モジュールとに接続されたリニアライザを備え、遠隔制御遠隔測定モジュールは、２つのリニアライザにより生成された遠隔測定結果も管理する。
【０００９】
有利なことに、遠隔制御遠隔測定モジュールは、２つの無線周波数チャンネルに共通のシリアル又はパラレル通信バスを備える。
【００１０】
遠隔制御遠隔測定モジュールは、２つの無線周波数チャンネルに関係する全ての遠隔制御遠隔測定信号のために単一の物理アドレスを備えることが好ましい。
【００１１】
有利なことに、遠隔制御遠隔測定モジュールは、各無線周波数チャンネルに関連した２つの進行波管に接続されたデュアル電子電力調節装置、又は、２つの電子電力調節装置の入力部に接続された遠隔制御出力部も備える。この場合、遠隔制御遠隔測定モジュールは、１つ又はそれ以上の専用インタフェースを介して各電力調節装置のアナログ及びデジタル遠隔測定結果を管理する管理システムも備える。
【００１２】
本発明は、デュアルＲＦチャンネルのための少なくとも１つのリニアライザ・チャンネル増幅器装置を備える通信衛星にも関するものである。
【００１３】
本発明の他の特定の特長及び利点を、添付の概略図を参照して、あくまで例示的かつ非限定的な例として、以下の説明において明瞭に記載する。
【図面の簡単な説明】
【００１４】
【図１】本発明によるデュアルＲＦチャンネル用リニアライザ・チャンネル増幅器装置の例の直線図である。
【図２】本発明による二重ＲＦチャンネル用リニアライザ・チャンネル増幅器装置の詳細図である。
【発明を実施するための形態】
【００１５】
図１に示すデュアルＲＦチャンネルのためのリニアライザ・チャンネル増幅器装置の直線図は、まったく同一の遠隔制御遠隔測定モジュールＴＭＴＣ３０に接続された２つの異なる伝送チャンネルに関係する２つの独立した無線周波数システムＲＦ１、ＲＦ２を含む。２つのシステムＲＦ１、ＲＦ２に共通の遠隔制御遠隔測定モジュール３０は、必要であれば、２つのシステムＲＦ１、ＲＦ２に関係する全ての遠隔制御ＴＣ及び遠隔測定ＴＭ信号のために単一の物理アドレスを備えることができる。システムＲＦ１、ＲＦ２の各々専用の信号のルーティング及び管理は、例えば、ＡＳＩＣタイプの専用電子デバイスにより、遠隔制御遠隔測定モジュール３０の内側で実施される。遠隔制御遠隔測定モジュール３０は、衛星のプラットフォーム上に設置された、送受信アンテナのシステムに関連したトランシーバを備えるペイロード７０によって地上局と通信する。遠隔制御遠隔測定モジュール３０は、２つのシステムＲＦ１、ＲＦ２により生成された測定結果が発信される全ての遠隔測定信号を地上局に送信するように設計された出力３２にて、２つのシステムＲＦ１、ＲＦ２に専用の、かつ、地上局から発信される全ての遠隔制御信号を受信するように設計された入力３１により組織的に配列されるシリアル又はパラレル通信バスを介して衛星プラットフォームと通信する。
【００１６】
各々のシステムＲＦ１、ＲＦ２は、所定の周波数帯域において無線周波数信号を受信するように設計された無線周波数入力１２、２２と、必要であれば、前記システムＲＦ１、ＲＦ２に対応するチャンネル上で受信され、かつ、送信アンテナを介して地上に再送されることになる信号を増幅することを担当する進行波管ＴＷＴに接続された無線周波数出力部１３、２３を備えるリニアライザ１１、２１とを備えるチャンネル増幅器モジュール１０、２０を備える。
【００１７】
図２に示すように、遠隔制御遠隔測定モジュール３０は、２つの無線システムＲＦ１、ＲＦ２に共通のシリアル又はパラレル通信バスを備える。必要であれば、これにより、遠隔制御遠隔測定モジュールの構成部品の数及び機器間のポートの数を低減するために、したがって、機器間で接続を可能にする関連ハーネスを簡素化するために、まったく同一の数の加入者が、これらの２つのシステムＲＦ１、ＲＦ２のために単一のアドレス及び単一のインタフェースを有することが可能となる。これにより、同等のハーネス複雑性により、加入者数に関して全体的な能力を倍化することも可能となる。
【００１８】
遠隔制御遠隔測定モジュール３０は、各システムＲＦ１、ＲＦ２に関連した２つの進行波管ＴＷＴ５０、５１で２つの単純な電子電力調節装置４０、４１又は単一のデュアル電子電力調節装置を制御するように設計することもできる。遠隔制御遠隔測定モジュール３０と電子品調節装置４０、４１の間のインタフェースは、２つの遠隔制御出力部３４、３５により組織的に配列される。同様に、遠隔制御遠隔測定モジュール３０は、アナログ・インタフェース６０及びデジタル又は論理インタフェース６１の入力に接続された遠隔測定出力部４２、４３により組織的に配列された、各電力調節装置４０、４１又はデュアル電力調節装置の遠隔測定結果を管理する管理システム６３も備える。２つのインタフェース６０、６１は、遠隔制御遠隔測定モジュール３０の一部を成し、かつ、遠隔制御遠隔測定モジュール３０によって地上局に各電力調節装置４０、４１の特定の遠隔測定結果を送信することを可能にする。
【００１９】
機能的な観点から、遠隔制御遠隔測定モジュール３０は、２つのチャンネル増幅器モジュール１０、２０の及び１つ又は２つの対応する電力調節装置４０、４１の構成専用の遠隔制御装置ＴＣ１、ＴＣ２、ＴＣ３、ＴＣ４を管理するために、必要であれば、２つのシステムＲＦ１、ＲＦ２に電源電圧３６を供給するように、かつ、対応する利得調節ループ１４によって２つのリニアライザ１１、２１のバイアス１５、２５を実現する。これは、対応する利得調節ループ１４、２４によって、２つのチャンネル増幅器モジュール４０、４１の出力電力を調節することで実現される。このために、利得調節ループ１４、２４は、例えば、２つのチャンネル増幅器モジュール１０、２０及び対応する電力調整器４０、４１のアナログ遠隔測定結果のデジタル化を行うことを可能にする１組の電子品構成部品を備える。
【００２０】
最大の諸機能、したがって、各種電子部品が関連のコストを低減するために共有される。２つのシステムＲＦ１、ＲＦ２は、独立しており、かつ、お互いから独立して制御することができ、それで、２つのシステムＲＦ１、ＲＦ２の構成は、完全に異なるものとすることができる。有利なことに、２つのシステムＲＦ１及びＲＦ２は、まったく同一のハウジング６２に組み込むことができる。
【００２１】
本発明を特定の実施形態に関連して説明したが、本発明は、いかなる点においても特定の実施形態に限定されず、かつ、本発明は、説明した手段の全ての技術的均等物及びその組み合わせを、本発明の状況に該当する場合に含むことが明白である。
【図１】
0005891565.tif 000002
【図２】
0005891565.tif 000003